(57)【特許請求の範囲】
【請求項１】
インバ−タトランスに備える出力コイルの一端部を一方電極に、その他端部を他方電極に各々接続した熱陰極放電管と、前記一方電極と他方電極とに接続して前記熱陰極放電管に並列接続した第１のスイッチング素子とを備え、
前記第１のスイッチング素子をＯＮさせ、前記インバ−タトランスの出力コイル電流を、前記一方電極と他方電極及び第１のスイッチング素子を経路として流通させて電極加熱した後、前記第１のスイッチング素子をＯＦＦさせることにより、前記一方電極と他方電極とに印加される前記インバ−タトランスの出力コイル電圧によって点灯させる熱陰極放電管の点灯装置において、
前記インバ−タトランスに設けた補助電流用コイルと、このコイルに発生する補助電流を第２のスイッチング素子を介して前記一方電極に加える補助回路と、前記第１、第２のスイッチング素子を所定時間の間ＯＮさせるタイマ−とを備え、
前記タイマ−による前記第１、第２のスイッチング素子のＯＮにより、前記出力コイル電流と前記補助電流とを前記一方電極に加えて加熱した後、
前記タイマ−による前記第１、第２のスイッチング素子のＯＮからＯＦＦの切換えにより、前記一方電極と他方電極に印加される前記出力コイル電圧によって点灯させる構成としたことを特徴とする熱陰極放電管の点灯装置。
【請求項２】
インバ−タトランスに備える出力コイルの一端部を一方電極に、その他端部を他方電極に各々接続した熱陰極放電管と、前記一方電極と他方電極とに接続して前記熱陰極放電管に並列接続した第１のスイッチング素子とを備え、
前記第１のスイッチング素子をＯＮさせ、前記インバ−タトランスの出力コイル電流を、前記一方電極と他方電極及び第１のスイッチング素子を経路として流通させて電極加熱した後、前記第１のスイッチング素子をＯＦＦさせることにより、前記一方電極と他方電極とに印加される前記インバ−タトランスの出力コイル電圧によって点灯させる熱陰極放電管の点灯装置において、
前記インバ−タトランスに設けた補助電流用コイルと、このコイルに発生する補助電流を第２のスイッチング素子を介して前記一方電極に加える補助回路と、前記第１のスイッチング素子のＯＮ時間に対して前記第２のスイッチング素子のＯＮ時間を長く設定するようにしたタイマ−とを備え、
前記タイマ−による前記第１、第２のスイッチング素子のＯＮにより、前記出力コイル電流と前記補助電流とを前記一方電極に加えて加熱した後、
前記タイマ−による前記第１のスイッチング素子のＯＮからＯＦＦの切換えにより、前記一方電極と他方電極に印加される前記出力コイル電圧によって点灯させ、
この点灯後、第２のスイッチング素子がＯＮからＯＦＦに切換えられるまでの間、前記補助電流を前記一方電極に加えて加熱する構成としたことを特徴とする熱陰極放電管の点灯装置。
【発明の詳細な説明】
【０００１】
【産業上の利用分野】
この発明は、熱陰極放電管を放電点灯させるための点灯装置に関する。
【０００２】
【従来の技術】
熱陰極放電管を点灯させる点灯回路の従来例を図３に示す。
この点灯回路は、電池電源１１の直流電圧をインバ−タ１２によって交流電圧に変換すると共に、その昇圧電圧をバラストコンデンサ１３を介して放電管１４に印加するようになっている。
【０００３】
つまり、インバ−タ１２のトランス１５はその出力コイルの一端部がバラストコンデンサ１３を介して放電管１４の一方の電極１４ａに接続され、その他端部が放電管１４の他方の電極１４ｂに接続されている。
【０００４】
放電管１４の電極１４ａ、１４ｂはフイラメントのヒ−タ−構造となっており、これら電極１４ａ、１４ｂがトライアック１６を介して連結されている。
このトライアック１６は発光ダイオ−ド１７とでフォト・カプラを形成し、発光ダイオ−ド１７の点灯光を受光してＯＮする。
【０００５】
発光ダイオ−ド１７はタイマ−１８によって給電され、このタイマ−１８の設定時間の間（例えば、２〜３秒）点灯する。
【０００６】
このように構成された点灯回路は、電源スイッチ１９を投入することにより、インバ−タ１２が発振すると共に、タイマ−１８が動作して発光ダイオ−ド１７が点灯する。
これより、トライアック１６がＯＮすることから、トランス１５の二次コイル電流が流れる。
【０００７】
つまり、二次コイル、バラストコンデンサ１３、放電管電極１４ａ、トライアック１６、放電管電極１４ｂのル−プ回路を通ってトランス１５の出力電流が流れ、放電管電極１４ａ、１４ｂが加熱される。
この加熱により電極１４ａ、１４ｂに弱いグロ−放電が起こる。
【０００８】
発光ダイオ−ド１７はタイマ−１８によって定められた時間、例えば、２〜３秒間点灯した後に消灯するから、この消灯によりトライアック１６がＯＦＦに復帰する。
これより、トランス１５の出力電圧が放電管１４の電極１４ａ、１４ｂ間に加わり、この放電管１４が放電点灯する。
【０００９】
【発明が解決しようとする課題】
上記したように熱陰極放電管１４は電極１４ａ、１４ｂを充分に加熱した後に電極１４ａ、１４ｂ間に電圧を加えて点灯させるために、電源スイッチの投入から点灯までに２〜３秒の時間がかかる。
また、電極１４ａ、１４ｂを予め加熱する電流が少ないときにはその点灯開始時間がさらに長くなると言う欠点がある。
【００１０】
なお、電極１４ａ、１４ｂを充分に加熱しないで電圧を加えて点灯すれば、点灯開始時間が早められるが放電管の寿命が短くなり、また、点灯、消灯を繰り返すようなときは、電極が充分に加熱されないで点灯されることになるため、矢張り放電管の寿命が短くなる。
【００１１】
本発明は上記した実情にかんがみ、電極を予め加熱する電流が少ないか否かにかかわらず、また、放電管寿命を短縮させることなく点灯開始時間を早めるようにした熱陰極放電管の点灯装置を提供することを目的とする。
【００１２】
【課題を解決するための手段】
上記した目的を達成するため、本発明では、第１の発明として、インバ−タトランスに備える出力コイルの一端部を一方電極に、その他端部を他方電極に各々接続した熱陰極放電管と、前記一方電極と他方電極とに接続して前記熱陰極放電管に並列接続した第１のスイッチング素子とを備え、前記第１のスイッチング素子をＯＮさせ、前記インバ−タトランスの出力コイル電流を、前記一方電極と他方電極及び第１のスイッチング素子を経路として流通させて電極加熱した後、前記第１のスイッチング素子をＯＦＦさせることにより、前記一方電極と他方電極とに印加される前記インバ−タトランスの出力コイル電圧によって点灯させる熱陰極放電管の点灯装置において、前記インバ−タトランスに設けた補助電流用コイルと、このコイルに発生する補助電流を第２のスイッチング素子を介して前記一方電極に加える補助回路と、前記第１、第２のスイッチング素子を所定時間の間ＯＮさせるタイマ−とを備え、前記タイマ−による前記第１、第２のスイッチング素子のＯＮにより、前記出力コイル電流と前記補助電流とを前記一方電極に加えて加熱した後、前記タイマ−による前記第１、第２のスイッチング素子のＯＮからＯＦＦの切換えにより、前記一方電極と他方電極に印加される前記出力コイル電圧によって点灯させる構成としたことを特徴とする熱陰極放電管の点灯装置を提案する。
第２の発明として、インバ−タトランスに備える出力コイルの一端部を一方電極に、その他端部を他方電極に各々接続した熱陰極放電管と、前記一方電極と他方電極とに接続して前記熱陰極放電管に並列接続した第１のスイッチング素子とを備え、前記第１のスイッチング素子をＯＮさせ、前記インバ−タトランスの出力コイル電流を、前記一方電極と他方電極及び第１のスイッチング素子を経路として流通させて電極加熱した後、前記第１のスイッチング素子をＯＦＦさせることにより、前記一方電極と他方電極とに印加される前記インバ−タトランスの出力コイル電圧によって点灯させる熱陰極放電管の点灯装置において、前記インバ−タトランスに設けた補助電流用コイルと、このコイルに発生する補助電流を第２のスイッチング素子を介して前記一方電極に加える補助回路と、前記第１のスイッチング素子のＯＮ時間に対して前記第２のスイッチング素子のＯＮ時間を長く設定するようにしたタイマ−とを備え、前記タイマ−による前記第１、第２のスイッチング素子のＯＮにより、前記出力コイル電流と前記補助電流とを前記一方電極に加えて加熱した後、前記タイマ−による前記第１のスイッチング素子のＯＮからＯＦＦの切換えにより、前記一方電極と他方電極に印加される前記出力コイル電圧によって点灯させ、この点灯後、第２のスイッチング素子がＯＮからＯＦＦに切換えられるまでの間、前記補助電流を前記一方電極に加えて加熱する構成としたことを特徴とする熱陰極放電管の点灯装置を提案する。
【００１３】
【作用】
第１の発明は、タイマ−の始動によって第１、第２のスイッチング素子がＯＮする。
第１のスイッチング素子のＯＮによりインバ−タトランスから放電管電極に加熱電流が流れ、電極加熱が行なわれる。
また、第２のスイッチング素子のＯＮにより、インバ−タトランスの補助電流用コイルから放電管の一方の電極に補助電流が流れ、電極加熱が行なわれる。
【００１４】
つまり、放電管の一方の電極については、インバ−タトランスの出力コイル電流と補助電流とが流れるために、この電極の加熱が早くなる。
このことから、第１、第２のスイッチング素子をＯＦＦさせ、インバ−タトランスの出力コイル電圧を放電管に加えるまでの時間を早めることができ、点灯開始時間を短縮させることができる。
【００１５】
また、第１のスイッチング素子に対して第２のスイッチング素子のＯＮ時間を長くした第２の発明では、第１のスイッチング素子のＯＦＦによって点灯開始した後も補助電流によって電極加熱が行なわれるため、点灯開始時間を極力短縮させることができる。
【００１６】
【実施例】
次に、本発明の実施例について図面に沿って説明する。なお、従来例と同一部材については同符号を付してその説明を省略する。
【００１７】
図１は第１実施例として示した点灯回路で、この実施例では、放電管電極１４ａ、１４ｂの間を第１のスイッチング素子であるトライアック２０によって接続してある。
なお、このトライアック２０に並列接続した抵抗２１とコンデンサ２２の直列体は、トライアック２０に加わる急激な電圧を抑えるスナバ回路である。
【００１８】
また、インバ−タトランス１５には入力コイル１５Ｐ、出力コイル１５Ｓの他の補助電流用コイル１５ａが設けてある。
このコイル１５ａは、抵抗２３、第２のスイッチング素子であるトランジスタ２４、放電管電極１４ｂとによってル−プ回路を形成している。
【００１９】
トランジスタ２５とそのエミッタ抵抗２６、このトランジスタ２５のベ−スに接続した定電圧ダイオ−ド２７、コンデンサ２８、このコンデンサ２８の放電用ダイオ−ド２９の各々はタイマ−回路を形成している。
【００２０】
そして、このタイマ−回路は、トランジスタ２５のエミッタ抵抗２６に発生する電圧に応じてトライアック２０のゲ−ト入力とトランジスタ２４のベ−ス入力とを決定し、これらトライアック２０とトランジスタ２４とをＯＮ、ＯＦＦ制御する。
【００２１】
上記した構成の点灯回路は、電源スイッチ１９の投入によってインバ−タ１２が発振を開始すると共に、タイマ−回路が動作しトライアック２０とトランジスタ２４が直ちにＯＮする。
【００２２】
つまり、タイマ−回路の定電圧ダイオ−ド２７は、電源スイッチ１９が投入された後、コンデンサ２８が所定の充電々圧に達するまでの間導通するため、その間トランジスタ２５がＯＮする。
したがって、トランジスタ２５がＯＮしている間、トライアック２０とトランジスタ２４が共にＯＮする。
【００２３】
トライアック２０がＯＮすると、インバ−タトランス１５の出力コイル電流が放電管電極１４ａ、１４ｂを通って流れ、これら電極１４ａ、１４ｂが加熱される。
また、トランジスタ２４がＯＮすると、補助電流用コイル１５ａに発生した電圧によって、放電管１４の一方の電極１４ｂには図示向きに補助電流Ｉｂが流れる。
【００２４】
したがって、出力コイル１５Ｓから図示した向きの出力電流Ｉａが流れたときは、補助電流用コイル１５ａより図示する向きの補助電流Ｉｂが流れるから、これら電流Ｉａ、Ｉｂの和の電流によって電極１４ｂが加熱され、電極加熱が速進する。
【００２５】
タイマ−回路のトランジスタ２５はコンデンサ２８が所定電圧に達したとき定電圧ダイオ−ド２７の電流遮断によってＯＦＦする。
これより、トライアック２０とトランジスタ２４が共にＯＦＦし、その後、インバ−タトランス１５の出力電圧が放電管１４の電極１４ａ、１４ｂに加わり、この放電管１４が放電点灯する。
【００２６】
図２は第２実施例として示した点灯回路で、この実施例では、トライアック２０のＯＮ時間に比べてトランジスタ２４のＯＮ時間を長く設定した構成となっている。
【００２７】
図示するように、トランジスタ２４のベ−スには新らたに定電圧ダイオ−ド３０を接続し、この定電圧ダイオ−ド３０がコンデンサ２８の充電々流にしたがってトランジスタ２４にベ−ス入力する構成としてある。
【００２８】
また、定電圧ダイオ−ド２７は規格電圧Ｖ1、定電圧ダイオ−ド３０は規格電圧Ｖ2のものを各々使用して、トランジスタ２４のＯＮ時間をトライアック２０のＯＮ時間に比べて長くなるように設定してある。つまり、Ｖ1＞Ｖ2となっている。
【００２９】
この構成の点灯回路は、トライアック２０が先にＯＦＦして放電管１４が点灯を開始した後、トランジスタ２４がＯＦＦするまでの間、電極１４ｂが補助電流によって加熱されるため、点灯開始時間を一層早めることができる。
【００３０】
以上、第１、第２実施例について説明したが、トライアック２０については他の半導体スイッチング素子に置き換えることができ、また、インバ−タトランス１５については、図示するように出力コイル１５Ｓに中間タップを設けて補助電流用コイル１５ａを設ける他に、出力コイル１５Ｓとは別個に補助電流用コイル１５ａを設けるようにしてもよい。
【００３１】
【発明の効果】
上記した通り、本発明に係る点灯装置は、インバ−タトランスの出力コイル電流によって電極を予め加熱する他に、補助電流によって加熱する構成としたことから、電極加熱の電流が少ないか否かにかかわらず、電極加熱が早く、このことから点灯開始時間の早い熱陰極放電管の点灯装置となる。
また、点灯開始時間を早くしても放電管寿命が短くなることがない。
【図面の簡単な説明】
【図１】本発明の第１実施例を示す点灯回路図である。
【図２】本発明の第２実施例を示す点灯回路図である。
【図３】従来例として示した点灯回路図である。
【符号の説明】
１２  インバ−タ
１４  放電管
１４ａ、１４ｂ  電極
１５  インバ−タトランス
２０  トライアック
２４  トランジスタ
２７  定電圧ダイオ−ド
２８  コンデンサ
３０  定電圧ダイオ−ド
【図１】
0003740646.tif 000002
【図２】
0003740646.tif 000003
【図３】
0003740646.tif 000004